(57)【要約】【課題】  熱い液体や冷却液の収納容器として用いて好適で印刷適性に優れた見栄えの良い紙製断熱容器を安価に多量提供可能とすること。【解決手段】  紙製容器１の外周面に外筒２を被せた紙製断熱容器を作るに当たり、紙製容器１の外周面にその周方向に向かう一条または上下複数の加熱溶着性突条３をリング状または螺旋状に溶着突設し、各突条３の外面に外筒２の内面を溶着することで、外筒２の内面と前記紙製容器１の外周面との間に妄りに潰れない断熱空間４を形成した。【選択図】図１
2005239204.tif 000002
【特許請求の範囲】
【請求項１】
紙製容器の外周面に外筒を被せた紙製断熱容器において、紙製容器の外周面にその周方向に向かう加熱溶着性突条をリング状に溶着突設し、その外面に外筒内面を溶着することで、外筒内面と前記紙製容器の外周面との間に断熱空間を形成した紙製断熱容器。
【請求項２】
紙製容器の外周面に外筒を被せた紙製断熱容器において、紙製容器の外周面にその周方向に向かう加熱溶着性突条を螺旋状に溶着突設し、その外面に外筒内面を溶着することで、外筒内面と前記紙製容器の外周面との間に断熱空間を形成した紙製断熱容器。
【請求項３】
前記紙製容器と外筒とをそれぞれ下細となした請求項１または請求項２に記載の紙製断熱容器。
【請求項４】
紙製容器の外周面に外筒を被せた紙製断熱容器を作るに当たり、紙製容器をその周方向に回転させながらその外周面に容器の周方向に向かう加熱溶着性突条を溶着した直後、余熱により接着可能状態にある前記各突条の外面に外筒内面を対接させることで、各突条の冷却固化溶着力により各突条に外筒内面を溶着し、この外筒内面と前記紙製容器の外周面との間に断熱空間を形成可能となした紙製断熱容器の製造方法。
【請求項５】
紙製容器の外周面に外筒を被せた紙製断熱容器を作るに当たり、紙製容器をその周方向に回転させながらその外周面に容器の周方向に向かう加熱溶着性突条を溶着突設した多数の紙製容器を作り、これら各紙製容器における上記固化済突条の外面に外筒を被せ、その内面を各突条の外面に圧接させながら外筒と共に各加熱溶着性突条を再度加熱溶融させることで、各突条の外面にその冷却固化溶着力で外筒内面を溶着し、この外筒内面と前記紙製容器の外周面との間に断熱空間を形成可能となした紙製断熱容器の製造方法。
【請求項６】
前記紙製容器と外筒とにそれぞれ下細のものを用いた請求項４または請求項５に記載の紙製断熱容器の製造方法。
【発明の詳細な説明】
【技術分野】
【０００１】
本発明は、主として熱い即席麺やその他熱い液体とか冷却液の収納容器として用いて好適な紙製断熱容器とその製造方法に関する。
【背景技術】
【０００２】
この種の紙製断熱容器としては、本出願人が先に提案した下記特許文献１のように縦蛇腹円筒を素材固有の弾力に抗し下細コッブに嵌合した紙製断熱容器が周知である。
また、本出願人が先に提案した下記特許文献２のように、上広がりの紙製容器の外周面に縦横方向に独立した多数の突部を分散点在させた断熱帯を巻き付け定着し、前記多数の突部の各内面と紙製容器の外周面との間にそれぞれ縦横方向に独立した多数の空間を分散形成することで、これら多数の空間による断熱作用と前記縦横方向に独立した多数の突部による手持ち滑落防止作用とを前記紙製容器に付与した紙製断熱容器も周知である。
【特許文献１】特許第３０２８２２４号公報
【特許文献２】特開２００３−８８４５７号公報
【発明の開示】
【発明が解決しようとする課題】
【０００３】
前記特許文献１の紙製断熱容器は、多数の紙製容器同士を縦に積み重ねできるが、熱い飲料や食品類とか、冷たい飲料を入れた重い紙製断熱容器を他所へ持ち運ぶに当たり、前記縦蛇腹円筒の外面から両手で上記重い紙製容器を強く持ち上げようとすると、上記縦蛇腹円筒は、その素材の弾力に抗し下細コッブに単に嵌合しただけで蛇腹保形力が弱いため、その内面が紙製容器の外面に密着し易く、折角形成した肝心の断熱空間が潰れてしまい、特に熱い即席麺を入れた重い紙製断熱容器を両手で強く持ち上げようとすると、手指が忽ち熱くなって火傷する危険が有るので、特に即席麺に熱湯を注いだ重い紙製断熱容器は、手指だけでは他所へ持ち運べないという本質的かつ、大きな問題点が有る。
【０００４】
また、上記特許文献２における容器外面の大部分を覆う断熱帯には、縦横方向に独立した多数の突部をエンボス加工などで分散点在してあるので、断熱帯の外面に美しい印刷ができないし、所謂「アバタ模様」状の外観となるため、見栄えが悪いものであったという本質的な問題点が有るほかに、両手で重い紙製容器を強く持ち上げようとすると、断熱帯に折角形成した肝心の突部による断熱空間が潰れ易く、この従来例でも依然として、熱い飲料や食品類を入れた重い紙製断熱容器を両手で強く持ち上げようとすると、手指が忽ち熱くなって火傷する危険が有り、即席麺に熱湯を注いだ重い紙製断熱容器は、手指だけでは他所へ持ち運べないという本質的かつ、大きな問題点も有る。
【０００５】
この発明は、熱い液体や冷却液の収納した重い紙製断熱容器に用いて好適で、印刷適性に優れた見栄えの良い紙製断熱容器を安価に多量提供可能とすることを目的とする。
【課題を解決するための手段】
【０００６】
上記した本発明の目的は、紙製容器の外周面に外筒を被せた紙製断熱容器を作るに当たり、紙製容器の外周面にその周方向に向かう一条または上下複数の加熱溶着性突条をリング状または螺旋状に溶着突設し、その外面に外筒内面を溶着することで、外筒内面と前記紙製容器の外周面との間に妄りに潰れない断熱空間を形成したことで達成できた。
【発明の効果】
【０００７】
本発明は、以上のような手段を採用したので、以下に記載の効果を奏する。
この発明における請求項１および請求項２に記載の各発明によれば、紙製容器の外周面にその周方向に向かう一条または上下複数の加熱溶着性突条をリング状または螺旋状に溶着突設した後、その外面に外筒を被せてその内面を対接させることで、この外筒内面を突条外面にその冷却固化溶着力で容易かつ、素早く強固に溶着できると共に、冷却後の上記加熱溶着性突条は硬く固化するから、一条の突条の上下両側における外筒上下部分の剛性や上下複数の突条に対する外筒溶着部分間の外筒張力や剛性により、外筒内面と紙製容器の外周面との間に断熱空間が生じ、この断熱空間は、外筒固有の剛性と上記外筒張力により外力で妄りに潰れない。
【０００８】
したがって、前記各発明によれば、外筒の外面から両手で重い紙製容器を持ち上げても、上記断熱空間は安定に確保できるので、手指は熱くなったり冷たくならず、特に即席麺に熱湯を注いだ重い紙製断熱容器を両手で強く持ち上げても、断熱空間が妄りに潰れないため手指は熱くならず、火傷の危険を無くせたので、熱い即席麺などを入れた重い紙製断熱容器を手指だけで他所へ安全に持ち運べるという優れた効果が有るほかに、紙製容器外周面の所要部分を覆う外筒は、その外面が平滑でもよいので、容器全体として印刷適性に優れた見栄えの良い紙製断熱容器を安価に多量提供できるという優れた効果も有る。
【０００９】
本発明における請求項３および請求項６で作った紙製断熱容器によれば、前記紙製容器と外筒とを下細としたので、多数の紙製断熱容器を縦に積み重ねることができ、これら各多数容器の重積体は容器数量の割合には嵩張らないので、その梱包保管・運搬流通・販売購入・開梱使用などのすべての面で扱い易くなったという効果を付加できた。
【００１０】
この発明における請求項４の発明では、紙製容器をその周方向に回転させながらその外周面に容器の周方向に向かう一条または上下複数の加熱溶着性突条をリング状または螺旋状に簡単に溶着できると共に、この溶着後の余熱により溶着可能状態にある前記各突条の外面に外筒を対接させるだけで、この外筒を各突条の外面に簡単かつ、強固に溶着できるので、作業性極めてよく、断熱構造が強靱な紙製断熱容器を自動製造による大量生産により、多量提供できるという優れた効果が有る。
【００１１】
この発明における請求項５の発明によれば、前記諸効果に加え、多数の紙製容器に一条または上下複数の加熱溶着性突条を溶着する工程と各突条の外面に外筒内面を溶着する工程とを分離できるから、より一層効率よく均等製品を安価に多量製造できたという効果を付加できた。
【発明を実施するための最良の形態】
【００１２】
次に、本発明を実施するための最良の形態例を説明する。
本発明の基本的な形態は、例えばカップラーメン用の紙カップなどの周知の紙製容器１の外周面に例えば紙製の外筒２を図１のように被せて定着した紙製断熱容器を作るに当たり、上記紙製容器１を図２のように横向きにし、カップ回転治具（周知のものでよいから図示せず）に嵌め込み、図２における矢示周方向に毎秒１〜３回転程度回転させつつ、その外周面に７０°Ｃ〜１５０°Ｃ程度の温度で加熱溶融させた周知のホットメルト材を加熱ノズルＮから直径約１〜３ｍｍ程度の太さで一条ずつまたは同時に３条の加熱溶着性突条３として上記図２のように細帯状に押し出し定着することで、紙製容器１の外周面に３条の加熱溶着性突条３を図２・図３のようにリング状または螺旋状に溶着する。
【００１３】
次いで、上記溶着直後における余熱で未だ溶着可能状態にある各突条３の外面に前記容器１の回転中または停止後に図３の嵌め込み途中状態を経て外筒２を図１のように被せ、その内面を各突条３の外面に対接させることで、上記各突条３の冷却固化溶着力により、各突条３の外面に上記図１のように外筒２の内面を溶着でき、外筒内面と前記紙製容器１の外周面との間に妄りに潰れない断熱空間４を形成した図１のような本発明による紙製断熱容器を作成できた。
【００１４】
ただし、紙製容器外周面の上・下または中間部に前記突条３を一条だけしか突設しない場合には、図１の鎖線で示すように、外筒２の上下幅Ｌを小さくすることで、この一条の突条３の上下両側における外筒２の上下部分の剛性により、外筒２の上下内面と紙製容器１の外周面との間に妄りに潰れない上下開放の断熱空間４を形成できる。
なお、上記図２における符号１Ａ・２Ａで示す部分は、それぞれ溶着代である。
【００１５】
本発明による紙製断熱容器は、以上のような構成となしたので、紙製容器１の外周面に周方向に溶着した一条または上下複数のリング状または螺旋状の突条３の外面に外筒２を容易かつ、素早く強固に溶着できるし、冷却後の上記加熱溶着性突条３は硬く固化するので、外筒２の内面と紙製容器１の外周面との間における図１のような断熱空間４は、一条の突条３の上下両側における外筒２の上下部分の剛性や上下複数の突条３に対する外筒２の溶着部分間の外筒張力や剛性により、外力で妄りに潰れず、熱い食品類とか冷たい飲料を入れた重い紙製断熱容器を前記外筒２の外面から両手で持ち上げても、断熱空間４が上記のように妄りに潰れず安定に確保でき、手指は熱くなったり冷たくならない。
【００１６】
すなわち、本発明による紙製断熱容器に例えば、即席麺に熱湯を注いで入れたかなり重く熱い上記容器１をその外筒外面から両手で強く持ち上げても、前述したように断熱空間４は妄りに潰れないので、外筒２や手指は熱くならず、火傷する危険を無くせたので、熱い即席麺などを入れた重く熱い紙製断熱容器を手指だけで他所へ安全に持ち運べるし、紙製容器外周面の所要部分を覆う外筒２は、その外面が平滑でもよいので、紙製断熱容器全体として印刷適性に優れた見栄えの良い紙製断熱容器を安価に多量製造できた。
【実施例】
【００１７】
本発明における外筒２を紙製容器１に被せるに当たり、前述した実施形態以外に、紙製容器１の外周面に容器１周方向に加熱溶着性突条３をリング状または螺旋状に溶着後、冷却固化突設した多数の紙製容器１を予め作って保管しておき、この保管後における多数の各紙製容器１の上記固化済突条３の外面に外筒２を被せ、その内面を各突条３の外面に圧接させながら外筒２と共に各加熱溶着性突条３を再度加熱溶融させることで、後から纏めて各突条３の外面にその冷却固化溶着力で外筒２を溶着することもできる。
【産業上の利用可能性】
【００１８】
前述したような一条または上下複数の加熱溶着性突条３は、紙製容器１の周方向に沿わせてリング状または螺旋状に突出溶着する代わりに、紙製容器１の外周面の所要個所に満遍なく上記各突条３を点在溶着したり、突条３を容器１の外周面の所要個所に縦・横または斜めに溶着し、その外面に外筒２を前述したように溶着することで、外筒２の内面と紙製容器１の外周面との間にそれぞれ縦・横または斜め方向に連続し、または独立した多数の妄りに潰れない断熱空間４を形成することができ、これら多数の断熱空間４による断熱作用を前記紙製容器１に付与してもよい。
【図面の簡単な説明】
【００１９】
【図１】本発明による紙製断熱容器の一例を示す縦断立面図
【図２】本発明に用いる紙製容器に突条を溶着する工程例を示す略図
【図３】本発明による紙製断熱容器の製造途中の一例を示す側面図
【符号の説明】
【００２０】
１  紙製容器
２  外筒
３  加熱溶着性突条
４  断熱空間
【図１】
2005239204.tif 000003
【図２】
2005239204.tif 000004
【図３】
2005239204.tif 000005